(57)【要約】      （修正有）【課題】フィラメントの異常加熱を防止することができる電子安定器を提供する。【解決手段】蛍光ランプの両端に電気的に接続される高周波共振点灯回路と、上限電圧と下限電圧を設定して出力するレベル設定回路と、蛍光ランプの両端に電気的に接続される検出回路と、レベル設定回路及び検出回路の間に接続される制御回路と、制御回路及び高周波共振点灯回路の間に接続される保護回路とを備えている。【選択図】図１
0003157174.tif 000002
【実用新案登録請求の範囲】
【請求項１】
電源と蛍光ランプとの間に配置される蛍光ランプを点灯するための電子安定器において、
前記蛍光ランプの両端に電気的に接続され、蛍光ランプを点灯させる高周波電圧を生成して発振する高周波共振点灯回路と、
上限電圧と下限電圧を設定して出力するレベル設定回路と、
前記蛍光ランプの両端に電気的に接続され、前記蛍光ランプによる電圧の変化を検出する検出回路と、
信号が入出力可能に、前記レベル設定回路及び前記検出回路の間に接続されて、前記レベル設定回路からの上限電圧又は下限電圧と前記検出回路からの電圧変化値とを比較し、前記電圧変化値が前記上限電圧以上或いは前記下限電圧以下であると、比較電圧を生成し、異常信号として出力する制御回路と、
信号が入出力可能に、前記制御回路及び前記高周波共振点灯回路の間に接続されて、前記異常信号が入力されると、前記高周波共振点灯回路を動作不能にさせると共に、前記蛍光ランプの点灯を停止するように作動する保護回路と
を備えていることを特徴とする電子安定器。
【請求項２】
前記制御回路は、
信号が入出力可能に、前記レベル設定回路及び前記検出回路に接続されて、前記電圧変化値が前記上限電圧以上或いは前記下限電圧以下であると、比較電圧を生成し、前記異常信号として出力する電圧比較部と、
前記異常信号に駆動されて導通し、前記異常信号を前記保護回路に出力するスイッチ部とを有することを特徴とする請求項１に記載の電子安定器。
【請求項３】
前記電圧比較部は、
前記上限電圧及び前記電圧変化値がそれぞれ入力される反転入力端及び非反転入力端を有し、前記電圧変化値が前記上限電圧以上であると、比較電圧を生成し、前記異常信号として出力する反転増幅器と、
前記電圧変化値及び前記下限電圧がそれぞれ入力される反転入力端及び非反転入力端を有し、前記電圧変化値が前記下限電圧以下であると、比較電圧を生成し、前記異常信号として出力する非反転増幅器とから構成されることを特徴とする請求項２に記載の電子安定器。
【請求項４】
前記スイッチ部は、それぞれ前記反転増幅器及び前記非反転増幅器の出力端に電気的に接続されると共に前記保護回路に電気的に接続され、前記異常信号によって導通される２つのダイオードから構成されることを特徴とする請求項３に記載の電子安定器。
【請求項５】
前記検出回路による電圧変化値は、前記蛍光ランプの両端における片側の分圧とすることを特徴とする請求項２、３又は４に記載の電子安定器。
【考案の詳細な説明】
【技術分野】
【０００１】
本考案は、蛍光ランプの点灯を安定させるために用いられる電子安定器に関する。
【背景技術】
【０００２】
一般に、蛍光ランプは負特性のため電源に直接接続した場合、一旦ランプ電流が流れ始めると急激に電流が増大して、瞬時に発光管の電極や封着部が破壊されてしまう。そこで、数十ＫＨｚの高周波で発振して蛍光ランプを点灯させる電子式安定器を交流電源とランプとの間に挿入接続すれば、ランプ電流を適正に制御しランプの放電を安定な状態に維持することができ、騒音や、ちらつきが少なく、照明に使用される電力も削減でき、また蛍光ランプの寿命を延ばすことができる。このため、このような蛍光ランプが一般化されつつある。
【考案の概要】
【考案が解決しようとする課題】
【０００３】
蛍光ランプを使用していくと、通常発光管の両端において片側のフィラメントが先に損耗することがあるため、蛍光ランプの寿命末期において両端のフィラメントの損耗程度が異なるので、整流効果により他側のフィラメントに過電流が流れて異常加熱し、ランプホルダーが溶解し、または安定器が焼損することがある。
【０００４】
本考案は、上記問題点に鑑みてなされたものであり、予め整流効果を検出することによりフィラメントの異常加熱を防止することができる電子安定器を提供することを目的とする。
【課題を解決するための手段】
【０００５】
上記目的を達成するために、本考案は、電源と蛍光ランプとの間に配置される蛍光ランプを点灯するための電子安定器において、前記蛍光ランプの両端に電気的に接続され、蛍光ランプを点灯させる高周波電圧を生成して発振する高周波共振点灯回路と、上限電圧と下限電圧を設定して出力するレベル設定回路と、前記蛍光ランプの両端に電気的に接続され、前記蛍光ランプによる電圧の変化を検出する検出回路と、信号が入出力可能に、前記レベル設定回路及び前記検出回路の間に接続されて、前記レベル設定回路からの上限電圧又は下限電圧と前記検出回路からの電圧変化値とを比較し、前記電圧変化値が前記上限電圧以上或いは前記下限電圧以下であると、比較電圧を生成し、異常信号として出力する制御回路と、信号が入出力可能に、前記制御回路及び前記高周波共振点灯回路の間に接続されて、前記異常信号が入力されると、前記高周波共振点灯回路を動作不能にさせると共に、前記蛍光ランプの点灯を停止するように作動する保護回路とを備えていることを特徴とする電子安定器を提供する。
【０００６】
前記電子安定器において、前記制御回路は、好ましくは、信号が入出力可能に、前記レベル設定回路及び前記検出回路に接続されて、前記電圧変化値が前記上限電圧以上或いは前記下限電圧以下であると、比較電圧を生成し、前記異常信号として出力する電圧比較部と、前記異常信号に駆動されて導通し、前記異常信号を前記保護回路に出力するスイッチ部とを有する。
【０００７】
前記電子安定器において、前記電圧比較部は、好ましくは、前記上限電圧及び前記電圧変化値がそれぞれ入力される反転入力端及び非反転入力端を有し、前記電圧変化値が前記上限電圧以上であると、比較電圧を生成し、前記異常信号として出力する反転増幅器と、前記電圧変化値及び前記下限電圧がそれぞれ入力される反転入力端及び非反転入力端を有し、前記電圧変化値が前記下限電圧以下であると、比較電圧を生成し、前記異常信号として出力する非反転増幅器とから構成される。
【０００８】
前記電子安定器において、前記スイッチ部は、好ましくは、それぞれ前記反転増幅器及び前記非反転増幅器の出力端に電気的に接続されると共に前記保護回路に電気的に接続され、前記異常信号によって導通される２つのダイオードから構成される。
【０００９】
前記電子安定器において、前記検出回路による電圧変化値は、一例として前記蛍光ランプの両端における片側の分圧とする。
【考案の効果】
【００１０】
本考案の電子安定器によれば、制御回路において検出回路からの電圧変化値を蛍光ランプに応じて設定された上限電圧又は下限電圧と比較することによって、高周波共振点灯回路を作動不能にさせる異常信号が出力され、蛍光ランプを点灯させないようにすることができる。したがって、蛍光ランプの両端に生じたフィラメントの老化程度の差による整流効果を検出することで、適宜蛍光ランプを点灯させないようにできるため、フィラメントの異常加熱を防ぐことができ、照明装置の使用安全性の向上を図ることができる。
【図面の簡単な説明】
【００１１】
【図１】蛍光ランプに用いられる本考案による一の実施の形態にかかる電子安定器の回路図である。
【図２】図１のブロック図である。
【考案を実施するための形態】
【００１２】
次に、本発明の実施の形態について添付した図面を参照して説明する。
【実施例１】
【００１３】
図１は、蛍光ランプに用いられる本考案による一の実施の形態にかかる電子安定器の回路図、図２は、図１のブロック図である。図中、２０１は外部電源、２００は外部電源２０１とつなぐ照明設備例えば蛍光ランプ、１００は外部電源２０１と連結されると共に蛍光ランプ２００に電気的に接続された電子安定器を示す。なお、蛍光ランプは一般の蛍光灯であってよく、Ｔ８、Ｔ５或いは他の規格のランプであってもよい。
【００１４】
電子安定器１００は、蛍光ランプ２００に電気的に接続されて、蛍光ランプ２００を点灯させるように作動するものであり、一例として、蛍光ランプ２００の両端に電気的に接続され、蛍光ランプ２００を点灯させる高周波電圧を生成して発振する高周波共振点灯回路３と、直流入力電源(Vdc)２０１に並列接続されたレベル設定回路４と、蛍光ランプ２００の両端に並列接続された検出回路５と、信号が入出力可能に、レベル設定回路４及び検出回路５の間に接続された制御回路６と、信号が入出力可能に、制御回路６及び高周波共振点灯回路３の間に接続された保護回路７を含む。
【００１５】
高周波共振点灯回路３は、蛍光ランプ２００を点灯させるための高周波電圧を安定して出力できるように、例えば高周波ハーフブリッジチップＩＣ０１及びトランジスタＱ０１、Ｑ０２から構成される。なお、高周波共振点灯回路３は、従来より汎用されているので、詳細の説明を省略する。
【００１６】
検出回路５は、蛍光ランプ２００による電圧の変化を検出するように、例えばキャパシタＣ０４、Ｃ０５、抵抗器Ｒ０５、とダイオードＺ０１から構成される。この例において、蛍光ランプ２００による電圧の変化はキャパシタＣ０４の端電圧の分圧Ｖ１とする。この構成においては、整流効果がまだ発生しないとき、つまり蛍光ランプ２００の両端のフィラメント（図示せず）における老化状態がほぼ同じであるとき、キャパシタＣ０４の端電圧は電源(Vdc)２０１の二分の一になるが、蛍光ランプ２００の両端のフィラメントにおける一方が先に老化していくと、キャパシタＣ０４の端電圧も大きく変化する。したがって、検出回路５は、キャパシタＣ０４の端電圧を検出することによって、蛍光ランプ２００による電圧の変化値Ｖ１を検出電圧として得ることができる。両端のフィラメントの老化状態が所定の差に達すると、整流効果が発生する。例えば、インダクタンスＴ０１端に電気的に接続されたフィラメントにおいて先に整流効果が発生したとき、検出電圧Ｖ１が大きく変化するし、キャパシタＣ４端に電気的に接続されたフィラメントにおいて整流効果が発生すると、検出電圧Ｖ１が比較的小さく変化する。
【００１７】
レベル設定回路４は、キャパシタＣ０４端の分電圧Ｖ１の上限値及び下限値に基づき上限電圧ＶＡと下限電圧ＶＢを設定して、制御回路６に出力するように、例えば抵抗器Ｒ０１、Ｒ０２、Ｒ０３とキャパシタＣ０１、Ｃ０２とから構成される。
【００１８】
制御回路６は、レベル設定回路４からの上限電圧又は下限電圧と検出回路５からの電圧変化値とを比較するように、信号が入出力可能に、レベル設定回路４及び検出回路５の間に接続されている。この例においては、制御回路６は、信号が入出力可能に、レベル設定回路４及び検出回路５に接続されて、レベル設定回路４からの上限電圧ＶＡ又は下限電圧ＶＢと検出回路５からの電圧変化値とを比較し、電圧変化値が上限電圧以上或いは下限電圧以下であると、比較電圧を生成し、異常信号として出力する電圧比較部６１と、異常信号に駆動されて導通し、異常信号を保護回路７に出力するスイッチ部６２とを有する。
【００１９】
電圧比較部６１は、一例として、上限電圧ＶＡ及び電圧変化値Ｖ１がそれぞれ入力される反転入力端及び非反転入力端を有する反転増幅器ＯＰ１と、電圧変化値Ｖ１及び下限電圧ＶＢがそれぞれ入力される反転入力端及び非反転入力端を有する非反転増幅器ＯＰ２とから構成される。
【００２０】
反転増幅器ＯＰ１は、電圧変化値Ｖ１が上限電圧以上であるとき、つまり、インダクタンスＴ１に電気的に接続されたフィラメントにおいて整流効果が発生するとき、比較電圧を生成し、異常信号としてスイッチ部６２に出力する。
【００２１】
非反転増幅器ＯＰ２は、電圧変化値Ｖ１が下限電圧ＶＢ以下であるとき、つまりキャパシタＣ０４に電気的に接続されたフィラメントにおいて整流効果が発生するとき、比較電圧を生成し、異常信号として出力する。
【００２２】
スイッチ部６２は、異常信号によって導通されるように、この例においては、それぞれ反転増幅器ＯＰ１及び非反転増幅器ＯＰ２の出力端に電気的に接続されると共に保護回路７に電気的に接続された、２つのダイオードＤ０２、Ｄ０２から構成される。ダイオードＤ０２又はＤ０２は、反転増幅器ＯＰ１又は非反転増幅器ＯＰ２からの異常信号によって導通されると、異常信号が保護回路７に出力される。
【００２３】
保護回路７は、信号が入出力可能に、制御回路６及び高周波共振点灯回路３の間に接続されている。保護回路７は異常信号が入力されると、高周波共振点灯回路３における高周波ハーフブリッジチップＩＣ０１の電源と接地させるように作動される。高周波ハーフブリッジチップＩＣ０１の接地により、トランジスタＱ０１とＱ０２を駆動させることを停止し、蛍光ランプ２００を点灯させないようにすることができる。なお、保護回路７の構成は従来から知られているものであり、ここでは詳細の説明を省略する。
【００２４】
本考案の電子安定器１００が取り付けられた蛍光ランプ２００に電源を入れると、制御回路６によって随時検出電圧Ｖ１と上限電圧ＶＡ又は下限電圧ＶＢとを比較される。蛍光ランプ２００は整流効果が発生すると、検出電圧Ｖ１が上限電圧ＶＡ以上、又は下限電圧ＶＢ以下であるとの結果が得られ、異常信号として保護回路７に出力される。保護回路７に異常信号が入力されると、高周波共振点灯回路３を作動不能にさせて蛍光ランプを点灯させないようにすることができる。したがって、蛍光ランプ２００の片側のフィラメントが整流効果により高温になることなく、安定器の焼損を防ぐことができ、ランプの寿命を延ばすことができる。
【００２５】
なお、レベル設定回路４による上限電圧ＶＡ及び下限電圧ＶＢは、ランプのタイプによって決定されるので、ランプ２００のタイプによって異なる上限電圧及び下限電圧を設定するように構成素子を変更でき、この例の構成に限らない。
【００２６】
以上により、本考案の電子安定器によれば、整流効果が発生するとき、蛍光ランプ２００を点灯させないようにできるので、ランプ２００及び電子安定器１００の使用安全性の向上を図ることができる。
【符号の説明】
【００２７】
２０１    電源
２００    蛍光ランプ
１００    電子安定器
３    高周波共振点灯回路
４    レベル設定回路
５    検出回路
６    制御回路
６１    電圧比較部
６２    スイッチ部
７    保護回路
【図１】
0003157174.tif 000003
【図２】
0003157174.tif 000004